(57)【特許請求の範囲】
【請求項１】
ＡＴＭセル信号を送出するＡＴＭ終端装置と、
前記ＡＴＭ終端装置から送出されるＡＴＭセルを受信する管理装置と、
前記ＡＴＭ終端装置と管理装置との間に介在し、前記ＡＴＭ終端装置の電源が遮断された際に該ＡＴＭ終端装置から送信される電源断ビットを検出すると、前記管理装置に警報を発出する通信事業者回線と、
から構成されるＡＴＭシステムにおいて、
前記ＡＴＭ終端装置は、電源が遮断された際には、前記電源断ビットの送出に先立ち、電源の遮断を示す情報を含む電源断セルを送出し、
前記通信事業者回線は、前記ＡＴＭ終端装置から送出される電源断セルを透過させて前記管理装置に転送し、
前記管理装置は、その電源断セルを検出することにより前記ＡＴＭ終端装置の電源遮断を検出することを特徴とするＡＴＭシステム。
【請求項２】
前記ＡＴＭ終端装置は、ＡＴＭセルのヘッダ部を操作することにより前記電源断セルを生成し、送出することを特徴とする請求項１記載のＡＴＭシステム。
【請求項３】
前記ＡＴＭ終端装置は、ＡＴＭセルのペイロード部に電源断情報を設定することにより前記電源断セルを生成し、送出することを特徴とする請求項１記載のＡＴＭシステム。
【請求項４】
前記管理装置は、前記ＡＴＭ終端装置の電源断を検出すると、前記電気事業者が以降発出する警報を無効とすることを特徴とする請求項１から３のいずれかに記載のＡＴＭシステム。
【請求項５】
ＡＴＭセル信号を送出するＡＴＭ終端装置と、
前記ＡＴＭ終端装置から送出されるＡＴＭセルを受信する管理装置と、
前記ＡＴＭ終端装置と管理装置との間に介在し、前記ＡＴＭ終端装置の電源が遮断された際に該ＡＴＭ終端装置から送信される電源断ビットを検出すると、前記管理装置に警報を発出する通信事業者回線と、
から構成されるＡＴＭシステムの電源断検出方法において、
前記ＡＴＭ終端装置は、電源が遮断された際には、前記電源断ビットの送出に先立ち、電源の遮断を示す情報を含む電源断セルを送出する送出工程と、
前記通信事業者回線は、前記ＡＴＭ終端装置から送出される電源断セルを透過させて前記管理装置に転送する転送工程と、
前記管理装置は、その電源断セルを検出することにより前記ＡＴＭ終端装置の電源遮断を検出する検出工程と、
をさらに含むことを特徴とするＡＴＭシステムの電源断検出方法。
【請求項６】
前記送出工程において、前記ＡＴＭ終端装置は、ＡＴＭセルのヘッダ部を操作することにより前記電源断セルを生成し、送出することを特徴とする請求項５記載のＡＴＭシステムの電源断検出方法。
【請求項７】
前記送出工程において、前記ＡＴＭ終端装置は、ＡＴＭセルのペイロード部に電源断情報を設定することにより前記電源断セルを生成し、送出することを特徴とする請求項５記載のＡＴＭシステムの電源断検出方法。
【請求項８】
前記管理装置は、前記ＡＴＭ終端装置の電源断を検出すると、前記電気事業者が以降発出する警報を無効とする警報無効工程をさらに含むことを特徴とする請求項５から７いずれかに記載のＡＴＭシステムの電源断検出方法。
【発明の詳細な説明】
【０００１】
【発明の属する技術分野】
本発明は、ＡＴＭ終端装置の電源断を、電気通信気業者を介して検出するＡＴＭシステムおよびその電源断検出方法に関する。
【０００２】
【従来の技術】
これからの高速広帯域情報通信に対応するための次世代ＩＳＤＮ（Integrated Services Digital Network）として、Ｂ−ＩＳＤＮ（Broadband ＩＳＤＮ）が計画されている。このＢ−ＩＳＤＮにおいては、現在のＩＳＤＮ技術に加え、低速、高速から超高速まで全ての通信情報を効率よく伝送・交換するために、ＡＴＭ（Asynchronous Transfer Mode：非同期転送モード）、光ファイバ伝送およびＳＤＨ（Synchronous Digital Hierarchy：同期デジタルハイアラーキ）の３つの新技術が採用されている。
【０００３】
Ｂ−ＩＳＤＮは、ＡＴＭ交換機とＡＴＭクロスコネクト装置および光加入者線終端装置を、それぞれ光ファイバで結んだものであり、この光ファイバを伝送路として、図２に示すようなＡＴＭセルを高速で伝送する。
【０００４】
同図のように、ＡＴＭセルは、５バイトのヘッダ部と、４８バイトのペイロード部から構成される５３バイトの固定長セルである。
【０００５】
ヘッダ部に含まれるＶＰＩ（Virtual Path Identifier：バーチャル・パス識別子）、およびＶＣＩ（Virtual Channel Identifier：バーチャル・チャネル識別子）により、ＡＴＭセルを転送する回線が選択される。また、特定のＶＣＩフィールドは、仮想パスのＯＡＭセル識別用に使用される。
【０００６】
ＰＴ（Payload Type：ペイロード・タイプ）は、ペイロード部の情報の種類を表現するフィールドであり、これによりセルレベルの前方向輻輳通知、仮想チャネル用ＯＡＭセルなどの識別が可能になる。また、ＣＬＰ（Cell Loss Priority：セル損失優先）は、輻輳等の発生時に行う可能性のあるセル損失制御の優先度を表現するフィールドである。
【０００７】
また、中継区間に電気通信事業者を介在したＢ−ＩＳＤＮにおいての、加入者終端装置の電源が遮断された場合の検出方法として、以下のようなものがある。
【０００８】
使用している加入者によって加入者終端装置の電源が遮断されると、その加入者終端装置は、電気通信事業者と結ばれている通信回線に対し電源断ビットを送出する。加入者終端装置から電源断ビットを検出した電気通信事業者は、その加入者終端装置を監視する装置に対し、主信号を全て１にして送出することにより警報発出を行う。
【０００９】
その後、加入者終端装置の遮断された電源が再度入り、正常状態に回復すると、加入者終端装置は、電気通信事業者と結ばれている通信回線に対し、電源が正常になったことを送出する。遮断された電源の回復を検出した電気通信事業者は、その加入者終端装置を監視する自社局内装置に対し、全て１に設定されていた主信号を正常に回復して送信する。
【００１０】
【発明が解決しようとする課題】
しかしながら、セルを透過する機器を導入している電気通信事業者を介在させた場合、加入者終端装置の電源が遮断すると、その電気通信事業者で終端されてしまうことになる。
【００１１】
また、加入者終端装置と電気通信事業者を結ぶ通信回線が故障の場合、自社局内装置は、上記の電源断の場合と同様に加入者終端装置を信号断と検出するため、通信回線の故障か加入者終端装置の電源遮断かの判別ができない。
【００１２】
本発明の課題は、加入者終端装置の電源遮断を、介在する電気通信事業者内の装置に影響を与えず、その加入者終端装置を監視している自社局内装置において容易に知ることができるＡＴＭシステムおよびその電源断検出方法を構築することである。
【００１３】
【課題を解決するための手段】
以上の課題を解決するために、請求項１記載の発明は、
ＡＴＭセル信号を送出するＡＴＭ終端装置（例えば、図１のＡＴＭ終端装置２）と、
前記ＡＴＭ終端装置から送出されるＡＴＭセルを受信する管理装置（例えば、図１の自社局内装置４）と、
前記ＡＴＭ終端装置と管理装置との間に介在し、前記ＡＴＭ終端装置の電源が遮断された際に該ＡＴＭ終端装置から送信される電源断ビットを検出すると、前記管理装置に警報を発出する通信事業者回線（例えば、図１の電気通信事業者３）と、
から構成されるＡＴＭシステム（例えば、図１のＡＴＭシステム１）において、
前記ＡＴＭ終端装置は、電源が遮断された際には、前記電源断ビットの送出に先立ち、電源の遮断を示す情報を含む電源断セルを送出し、
前記通信事業者回線は、前記ＡＴＭ終端装置から送出される電源断セルを透過させて前記管理装置に転送し、
前記管理装置は、その電源断セルを検出することにより前記ＡＴＭ終端装置の電源遮断を検出することを特徴とする。
【００１４】
また、請求項５記載の発明は、
ＡＴＭセル信号を送出するＡＴＭ終端装置（例えば、図１のＡＴＭ終端装置２）と、
前記ＡＴＭ終端装置から送出されるＡＴＭセルを受信する管理装置（例えば、図１の自社局内装置４）と、
前記ＡＴＭ終端装置と管理装置との間に介在し、前記ＡＴＭ終端装置の電源が遮断された際に該ＡＴＭ終端装置から送信される電源断ビットを検出すると、前記管理装置に警報を発出する通信事業者回線（例えば、図１の電気通信事業者３）と、
から構成されるＡＴＭシステム（例えば、図１のＡＴＭシステム１）の電源断検出方法において、
前記ＡＴＭ終端装置は、電源が遮断された際には、前記電源断ビットの送出に先立ち、電源の遮断を示す情報を含む電源断セルを送出する送出工程（例えば、図５のＳ１）と、
前記通信事業者回線は、前記ＡＴＭ終端装置から送出される電源断セルを透過させて前記管理装置に転送する転送工程（例えば、図５のＳ２およびＳ３）と、前記管理装置は、その電源断セルを検出することにより前記ＡＴＭ終端装置の電源遮断を検出する検出工程と、
をさらに含むことを特徴とする。
【００１５】
したがって、ＡＴＭ終端装置において電源が遮断された場合に、管理装置は、そのＡＴＭ終端装置から送出された電源断セルを検出することにより、容易にＡＴＭ終端装置の電源断を検出できる。
【００１６】
また、ＡＴＭ終端装置から送出される電源断セルは、介在する通信事業者回線を透過するので、その通信事業者回線に影響を与えず、管理装置は、ＡＴＭ終端装置の電源断を知ることができる。
【００１７】
請求項２記載の発明は、請求項１記載のＡＴＭシステムにおいて、
前記ＡＴＭ終端装置は、ＡＴＭセルのヘッダ部を操作することにより前記電源断セルを生成し、送出することを特徴とする。
【００１８】
また、請求項６記載の発明は、請求項５記載のＡＴＭシステムの電源断検出方法において、
前記送出工程において、前記ＡＴＭ終端装置は、ＡＴＭセルのヘッダ部を操作することにより前記電源断セルを生成し、送出することを特徴とする。
【００１９】
したがって、ＡＴＭセルのヘッダ部を操作することによりＡＴＭアドレスを設定し、生成・送出した電源断セルを、通信事業者回線を透過させることができる。
【００２０】
請求項３記載の発明は、請求項１記載のＡＴＭシステムにおいて、
前記ＡＴＭ終端装置は、ＡＴＭセルのペイロード部に電源断情報を設定することにより前記電源断セルを生成し、送出することを特徴とする。
【００２１】
また、請求項７記載の発明は、請求項６記載のＡＴＭシステムの電源断検出方法において、
前記送出工程において、前記ＡＴＭ終端装置は、ＡＴＭセルのペイロード部に電源断情報を設定することにより前記電源断セルを生成し、送出することを特徴とする。
【００２２】
したがって、ＡＴＭセルのペイロード部を操作することにより容易に電源断セルを生成・送出できる。
【００２３】
請求項４記載の発明は、請求項１から３のいずれかに記載のＡＴＭシステムにおいて、
前記管理装置は、前記ＡＴＭ終端装置の電源断を検出すると、前記電気事業者が以降発出する警報を無効とすることを特徴とする。
【００２４】
また、請求項８記載の発明は、請求項５から７のいずれかに記載のＡＴＭシステムの電源断検出方法において、
前記管理装置は、前記ＡＴＭ終端装置の電源断を検出すると、前記電気事業者が以降発出する警報を無効とする警報無効工程をさらに含むことを特徴とする。
【００２５】
したがって、ＡＴＭ終端装置の電源断にともなって送出される電源断ビットにより通信事業者回線から発出される警報を無効とするので、介在する通信事業者回線の構成を変えることなく、容易に管理装置がＡＴＭ終端装置の電源断を知ることができる。
【００２６】
【発明の実施の形態】
以下、図を参照して実施の形態を詳細に説明する。
【００２７】
まず構成を説明する。
図１に、本発明を適用したＡＴＭシステム１の構成を示す。
このＡＴＭシステム１は、ＡＴＭ終端装置２、電気通信事業者３、自社局内装置４で構成され、加入者終端装置であるＡＴＭ終端装置２と自社局内装置４は、電気通信事業者３を介在して、それぞれ光ファイバを伝送路とする通信回線５・６で結ばれている。そして、この通信回線５・６を介し、各種信号がやりとりされる。
【００２８】
自社局内装置４は、ＡＴＭ終端装置２を監視しており、そのＡＴＭ終端装置２からの信号を受信する。
【００２９】
ＡＴＭ終端装置２は、電気通信事業者３を介して信号を送出し、加入者等によってその電源が遮断されると、通信回線５に対し、電源断信号としてＯＡＭセルを出力する。その後、自身の電源を遮断する。
【００３０】
図３は、電源断セルを送出するＡＴＭ終端装置２の内部構成を示す図である。同図において、ヘッダ設定部２１は、電源断セルとするＯＡＭセル２２のヘッダ値を任意に設定し、ＯＡＭセル挿入部２３は、ＡＴＭ終端装置２の電源が遮断された場合に、上記ＯＡＭセル２２を送出する。
【００３１】
ヘッダ演算部２４は、送出されたＡＴＭセルのヘッダ部に、演算した結果を挿入する。すなわち、ヘッダ部のＶＰＩおよびＶＣＩフィールドを操作することにより、転送の際の回線を選択し、介在する電気通信事業者３を透過させ、そのＯＡＭセルを自社局内装置４まで転送させることができる。また、ＶＣＩおよびＰＴフィールドを操作することにより、そのＡＴＭセルが警報転送用ＯＡＭセルに設定される。
【００３２】
パス設定部２５は、採用されている信号多重化方法であるＰＤＨ（６Ｍ）に対応させるために、送出するＡＴＭセル信号のパス状態を設定し、フレーム設定部２６は、マルチフレームの同期状態を設定する。
【００３３】
制御部２８は、ＡＴＭ終端装置２の電源が遮断された場合の警報送出を制御し、電源の遮断を検出すると、ＯＡＭセル挿入部２３、パス設定部２５およびフレーム設定部２６の各装置に指示を与える。
光電変換部２７は、入力された信号を、通信回線である光ファイバ伝送路に対応させるために、電気信号を光信号に変換する装置である。
【００３４】
図４は、自社局内装置４の内部構成を示す図である。
同図において、入力された信号は、光電変換部４１において、光信号から自社局内装置４に対応する電気信号に変換される。
【００３５】
ＯＡＭセル検出部４４にて、受信したＡＴＭセル信号の中からＯＡＭセル（電源断セル）が検出される。また、フレーム検出部４２にて、受信した電源断セルのマルチフレームの同期が確立され、パス検出部４３にて、ＰＤＨのパス状態が確立される。また、これらの各部は、制御部４５により制御される。
【００３６】
次に動作を説明する。
図５を用いて、ＡＴＭ終端装置２の電源が遮断された場合の、本ＡＴＭシステム１の動作を説明する。
【００３７】
まず、ＡＴＭ終端装置２において、加入者により電源が遮断されると、ＡＴＭ終端装置２内の制御部２８はＯＡＭセル挿入部２３、パス設定部２５、およびフレーム設定部２６の各部に指示を出し、電源断ＡＴＭセルとして設定されたＯＡＭセルを送出させる（ステップＳ１）。
【００３８】
ＡＴＭ終端装置２から送出された電源断ＡＴＭセルは、電気通信事業者３を透過し（ステップＳ２）、自社局内装置４に転送される（ステップＳ３）。
【００３９】
自社局内装置４内のＯＡＭセル検出部４４により電源断セルが検出されると、自社局内装置４は、他装置に対して警報を転送し、その回線が使用不可であることを通知するとともに警報発出を禁止状態にし、以降検出される警報発出を無効とする。
【００４０】
また、電源断ＡＴＭセルを送出したＡＴＭ終端装置２は、その電源が遮断される前に、従来と同様に電源断ビットを電気通信事業者３に送出する（ステップＳ４）。電源断ビットを検出した電気通信事業者３は、送信している主信号を全て１にして自社局内装置４に送信することにより、警報を発出する（ステップＳ５およびＳ６）。
【００４１】
しかしこの場合、自社局内装置４においては警報発出禁止状態にされているので、この電源断による電気通信事業者３からの警報は、有効とされない。
【００４２】
その後、ＡＴＭ終端装置２において電源が回復すると、電源回復を電気通信事業者３に送出し（ステップＳ７）、電源回復を受信した電気通信事業者３は、全て１にして送信していた主信号を正常に戻して自社局内装置４に送信する（ステップＳ８およびステップＳ９）。
【００４３】
回復された主信号を検出した自社局内装置４は、無効としていた警報発出を解除し、正常に戻す。
【００４４】
以上のように、ＡＴＭ終端装置２において電源が遮断された場合に、そのＡＴＭ終端装置２から電源断ＡＴＭセルを発出すると、このＡＴＭセルは電気通事業者装置を透過するので、介在する電気通信事業者３には影響を与えず、自社局内装置４にてＡＴＭ終端装置２の電源断を容易に検出できる。
【００４５】
なお、本実施の形態においては、ＡＴＭセルのヘッダ部のビット値を操作することにより電源断ＡＴＭセルを生成したが、ＡＴＭセルのペイロード部に電源断情報を設定することにより、電源断ＡＴＭセルを生成・送出するように構成してもよい。
【００４６】
【発明の効果】
請求項１または５に記載の発明によれば、ＡＴＭ終端装置において電源が遮断された場合に、管理装置は、そのＡＴＭ終端装置から送出された電源断セルを検出することにより、容易にＡＴＭ終端装置の電源断を検出できる。
【００４７】
また、ＡＴＭ終端装置から送出される電源断セルは、介在する通信事業者回線を透過するので、その通信事業者回線に影響を与えず、管理装置は、ＡＴＭ終端装置の電源断を知ることができる。
【００４８】
請求項２または６に記載の発明によれば、請求項１または５に記載の発明の効果に加え、ＡＴＭセルのヘッダ部を操作することによりＡＴＭアドレスを設定し、生成・送出した電源断セルを、通信事業者回線を透過させることができる。
【００４９】
請求項３または７に記載の発明によれば、請求項１または５に記載の発明の効果に加え、ＡＴＭセルのペイロード部を操作することにより容易に電源断セルを生成・送出できる。
【００５０】
請求項４または８に記載の発明によれば、請求項１、２、３、５、６または７に記載の発明の効果に加え、ＡＴＭ終端装置の電源断にともなって送出される電源断ビットにより通信事業者回線から発出される警報を無効とするので、介在する通信事業者回線の構成を変えることなく、容易に管理装置がＡＴＭ終端装置の電源断を知ることができる。
【図面の簡単な説明】
【図１】本発明を適用したＡＴＭシステムの構成を示す図である。
【図２】ＡＴＭセルフォーマット（ＵＮＩ）を示す図である。
【図３】ＡＴＭ終端装置２の内部構成を示す図である。
【図４】自社局内装置４の内部構成を示す図である。
【図５】ＡＴＭシステムの動作の流れを示す図である。
【符号の説明】
１  ＡＴＭシステム
２  ＡＴＭ終端装置
３  電気通信事業者
４  自社局内装置
５、６  通信回線
【図１】
0004023069.tif 000002
【図２】
0004023069.tif 000003
【図３】
0004023069.tif 000004
【図４】
0004023069.tif 000005
【図５】
0004023069.tif 000006